(57)【要約】      （修正有）【課題】ロック操作部材を周方向にスライドさせることで、蓋部材を閉状態にロックしたり、そのロックを解除したりするタイプの飲料容器の栓体において、容器本体の口部に装着される口栓部材の内径を大きくする飲料容器の栓体を提供する。【解決手段】容器本体ＣＢに装着される口栓部材１０と口栓部材１０にヒンジを介して開閉可能に取り付けられた蓋部材２０と蓋部材２０を開閉させる開閉機構３０と蓋部材２０を閉状態にロックするロック機構４０とを備え、開閉機構３０は蓋部材２０に設けられた係止爪と係止爪に係合して蓋部材２０を全閉位置に位置決めする、口栓部材１０に取り付けられた開閉操作部材３２とを有し、ロック機構４０はロック位置とロック解除位置との間で、周方向にスライド可能に蓋部材２０に取り付けられたロック操作部材４１とロック位置にスライドさせたロック操作部材４１が係合可能な、開閉操作部材３２に形成された係合部とを有している。【選択図】図１
0003206294.tif 000002
【実用新案登録請求の範囲】
【請求項１】
容器本体に装着される口栓部材と、
前記口栓部材にヒンジを介して開閉可能に取り付けられた蓋部材と、
前記蓋部材を開閉させる開閉機構と、
前記蓋部材を閉状態にロックするロック機構とを備え、
前記開閉機構は、前記蓋部材に設けられた係止部と、前記蓋部材を閉じることによって前記係止部に係合して前記蓋部材を全閉位置に位置決めする、前記係止部に対する係合を解除可能に前記口栓部材に取り付けられた開閉操作部材とを有し、
前記ロック機構は、ロック位置とロック解除位置との間で、周方向にスライド可能に前記蓋部材に取り付けられたロック操作部材を有し、
前記開閉機構によって前記蓋部材を全閉位置に位置決めした状態で、前記ロック操作部材をロック位置にスライドさせると、前記開閉操作部材の前記係止部に対する係合を解除不能に、前記ロック操作部材が前記開閉操作部材に係合することを特徴とする飲料容器の栓体。
【請求項２】
前記開閉操作部材は、上下が前後方向に揺動可能に中間部が軸支されており、
前記開閉操作部材の上部には、その一側側に前記蓋部材に設けられた係止部に係合する係合部を、他側側に前記ロック操作部材が係合する係合部をそれぞれ有している請求項１に記載の飲料容器の栓体。
【考案の詳細な説明】
【技術分野】
【０００１】
この考案は、携帯用魔法瓶や水筒等の携帯用飲料容器に採用されている、容器本体に装着される口栓部材にヒンジを介して蓋部材が開閉可能に取り付けられた、直飲みタイプの飲料容器の栓体に関する。
【背景技術】
【０００２】
この種の栓体としては、例えば、特開２０１０−２４１４６１号公報に開示されたものがある。この栓体は、図１１及び図１２に示すように、容器本体６１に装着される口栓部材６２と、この口栓部材６２の後部にヒンジを介して片開き可能に取り付けられた蓋部材６３と、この蓋部材６３を開閉させる開閉機構６４と、蓋部材６３を閉状態にロックするロック機構６５とを備えている。
【０００３】
前記開閉機構６４は、蓋部材６３に設けられた係止部６４ａと、蓋部材６３を閉じることによって係止部６４ａに係合して蓋部材６３を全閉位置に位置決めする、口栓部材６２に出没自在に取り付けられた開閉操作部材６４ｂと、開閉操作部材６４ｂの全体を、閉じた状態の蓋部材６３の係止部６４ａに係合する方向に付勢するコイルバネ６４ｃとを有しており、開閉操作部材６４ｂを、コイルバネ６４ｃの付勢力に抗して押し込むことによって係止部６４ａに対する係合が解除されるようになっている。
【０００４】
前記ロック機構６５は、図１３（ａ）、（ｂ）に示すように、ロック位置とロック解除位置との間で、周方向にスライド可能に口栓部材６２に取り付けられたロック操作部材６５ａを備えており、このロック操作部材６５ａは、開閉操作部材６４ｂが蓋部材６３の係止部６４ａに係合した状態でロック位置にスライドさせたときに、開閉操作部材６４ｂの押込操作を阻止する押込規制部６５ｂを有している。従って、ロック操作部材６５ａを周方向にスライドさせることで、蓋部材６３を閉状態にロックしたり、そのロックを解除したりすることができるようになっている。
【０００５】
前記口栓部材６２は、容器本体６１に螺着される内側部材６２ａと、この内側部材６２ａを覆う外側部材６２ｂとから構成されており、内側部材６２ａと外側部材６２ｂとの間に形成される空間内に、ロック機構６５を構成しているロック操作部材６５ａが収容されている。
【０００６】
前記外側部材６２ｂには、ロック操作部材６５ａの操作窓Ｗが形成されており、この操作窓Ｗに露出したロック操作部材６５ａの操作部６５ｃを操作することによって、ロック操作部材６５ａを、ロック位置とロック解除位置との間で、周方向にスライドさせるようになっている。
【先行技術文献】
【特許文献】
【０００７】
【特許文献１】特開２０１０−２４１４６１号公報
【考案の概要】
【考案が解決しようとする課題】
【０００８】
しかしながら、上述した栓体は、口栓部材６２が、容器本体６１に螺着される内側部材６２ａと、この内側部材６２ａを覆う外側部材６２ｂとから構成されており、内側部材６２ａと外側部材６２ｂとの間に形成される空間内に、ロック機構６５を構成しているロック操作部材６５ａが収容されているので、容器本体６１の口部に螺合される口栓部材６２の内径が小さくなる。このため、容器本体６１の口部の内径を小さくせざるを得ず、例えば、製氷皿で作った氷を容器本体６１に入れる場合、入れ難いといった問題がある。こういった問題は、口栓部材６２の外径を容器本体６１の外径に合わせる場合に顕著に現れることになる。
【０００９】
そこで、この考案の課題は、ロック操作部材を周方向にスライドさせることによって、蓋部材を閉状態にロックしたり、そのロックを解除したりするタイプの飲料容器の栓体において、容器本体の口部に装着される口栓部材の内径を大きくすることにある。
【課題を解決するための手段】
【００１０】
上記の課題を解決するため、請求項１に係る考案は、容器本体に装着される口栓部材と、前記口栓部材にヒンジを介して開閉可能に取り付けられた蓋部材と、前記蓋部材を開閉させる開閉機構と、前記蓋部材を閉状態にロックするロック機構とを備え、前記開閉機構は、前記蓋部材に設けられた係止部と、前記蓋部材を閉じることによって前記係止部に係合して前記蓋部材を全閉位置に位置決めする、前記係止部に対する係合を解除可能に前記口栓部材に取り付けられた開閉操作部材とを有し、前記ロック機構は、ロック位置とロック解除位置との間で、周方向にスライド可能に前記蓋部材に取り付けられたロック操作部材を有し、前記開閉機構によって前記蓋部材を全閉位置に位置決めした状態で、前記ロック操作部材をロック位置にスライドさせると、前記開閉操作部材の前記係止部に対する係合を解除不能に、前記ロック操作部材が前記開閉操作部材に係合することを特徴とする飲料容器の栓体を提供するものである。
【００１１】
また、請求項２に係る考案は、請求項１に係る考案の飲料容器の栓体において、前記開閉操作部材は、上下が前後方向に揺動可能に中間部が軸支されており、前記開閉操作部材の上部には、その一側側に前記蓋部材に設けられた係止部に係合する係合部を、他側側に前記ロック操作部材が係合する係合部をそれぞれ有していることを特徴としている。
【考案の効果】
【００１２】
以上のように、請求項１に係る考案の飲料容器の栓体は、周方向にスライド操作するロック操作部材を、容器本体に装着される口栓部材ではなく、蓋部材に取り付けているので、ロック操作部材を口栓部材に取り付けている栓体に比べて、口栓部材の内径を大きくすることができる。従って、口栓部材が装着される容器本体の口部の内径を大きくすることができ、氷等を容器本体に入れる場合に、入れやすくなるという効果が得られる。
【００１３】
また、請求項２に係る考案の飲料容器の栓体は、開閉操作部材の上部に、蓋部材に設けられた係止部に係合する係合部及びロック操作部材が係合する係合部が設けられているので、構成がシンプルになるという効果が得られる。
【図面の簡単な説明】
【００１４】
【図１】この考案に係る栓体の一実施形態が容器本体に装着された飲料容器を示す正面図である。
【図２】図１のＸ−Ｘ線に沿った部分断面図である。
【図３】同上の栓体の蓋部材を開いた状態を示す平面図である。
【図４】同上の栓体の蓋部材を開いた状態を示す左側面図である。
【図５】同上の栓体の蓋部材を開いた状態を示す縦断面図である。
【図６】同上の蓋部材を構成している蓋本体を示す正面図である。
【図７】同上の栓体における開閉手段による蓋部材の位置決めを解除した状態を示す縦断面図である。
【図８】同上の栓体の蓋部材を開いた状態示す右側面図である。
【図９】（ａ）は同上の栓体を構成している開閉操作部材とロック操作部材との関係（ロック解除状態）を示す横断面図、（ｂ）は同上の栓体を構成している開閉操作部材とロック操作部材との関係（ロック状態）を示す横断面図である。
【図１０】（ａ）はロック解除状態における同上のロック操作部材と樹脂ばねとの関係を示す斜視図、（ｂ）は、同上のロック操作部材と樹脂ばねとを外面側から視た分解斜視図、（ｃ）は同上のロック操作部材と樹脂ばねとを内面側から視た分解斜視図、（ｄ）はロック解除状態におけるロック操作部材の外側片と連結部との境界部分で破断した斜視図、（ｅ）はロック状態におけるロック操作部材の外側片と連結部との境界部分で破断した斜視図である。
【図１１】従来の栓体が容器本体に装着された飲料容器を示す部分斜視図である。
【図１２】同上の栓体を示す縦断面図である。
【図１３】（ａ）は同上の栓体におけるロック解除状態を示す横断面図、（ｂ）は同上の栓体におけるロック状態を示す横断面図である。
【考案を実施するための形態】
【００１５】
以下、実施の形態について図面を参照して説明する。図１は、この考案に係る栓体１が容器本体ＣＢに装着された飲料容器を示している。
【００１６】
前記栓体１は、図１〜図５に示すように、容器本体ＣＢに装着される口栓部材１０と、この口栓部材１０にヒンジ１ａを介して開閉可能に取り付けられた蓋部材２０と、この蓋部材２０を開閉させる開閉機構３０と、蓋部材２０を閉状態にロックするロック機構４０とを備えており、蓋部材２０はヒンジ１ａ部分に取り付けられた一対のねじりバネによって、常時、開方向に付勢されている。
【００１７】
前記口栓部材１０は、同図に示すように、容器本体ＣＢの小径の口部に螺合される円筒状のベース部材１１と、このベース部材１１に着脱自在に嵌着された、上下に区画する隔壁１３を有する筒状の口部材１２とを備えており、隔壁１３には、その前面側に容器本体ＣＢ内の液体飲料を注出するための注出孔１４が形成されている。
【００１８】
前記口栓部材１０を容器本体ＣＢの口部に装着した状態では、口部材１２の下半部が、容器本体ＣＢの口部内に入り込んでおり、口部材１２の下部外周面に形成されたフランジ部１５と、容器本体ＣＢの口部の基端部との間にリング状のパッキン１６を挟み込むことによって、口栓部材１０の口部材１２と容器本体ＣＢとがシールされるようになっている。
【００１９】
前記蓋部材２０は、図１〜図５に示すように、円形状の天板の周縁部に周壁が連設された蓋本体２１と、この蓋本体２１の天板の内面に固着された、蓋部材２０を閉じたときに口栓部材１０の口部材１２内に入り込む閉塞部２２と、この閉塞部２２に嵌着されるパッキン２３とを備えており、蓋部材２０を閉じたときに、パッキン２３が嵌着された閉塞部２２によって、口部材１２の隔壁１３に形成された注出孔１４が密閉されるようになっている。
【００２０】
前記開閉手段３０は、図１〜図３、図５及び図６に示すように、蓋部材２０における蓋本体２１の周壁の前面側に突出する正面視門型形状の区画壁２１ａによって下部を除く三方が囲われた蓋側開閉操作領域の下端部に形成された係止爪３１と、蓋本体２１の区画壁２１ａに対向するように、口栓部材１０におけるベース部材１１の前面側に突出する正面Ｕ字状の区画壁１１ａによって上部を除く三方が囲われたベース側開閉操作領域内で、上下が前後方向に揺動するように区画壁１１ａに軸支された、係止爪３１に係合可能な係合凹部３３を上部に有する開閉操作部材３２と、ベース側開閉操作領域と開閉操作部材３２との間に配設された、開閉操作部材３２における揺動軸３４よりも下側部分を外側（前方側）に付勢するコイルバネ３５とを備えており、係止爪３１は、蓋本体２１の蓋側開閉操作領域内の左半部に形成されていると共に、蓋側開閉操作領域内の右半部は前後方向に開放されている。
【００２１】
前記係合凹部３３は、蓋本体２１の蓋側開閉操作領域内の左半部に形成された係止爪３１に対応するように、開閉操作部材３２の左半部に形成されており、その係合凹部３３が形成された開閉操作部材３２の上部がベース部材１１のベース側開閉操作領域の上方側に張り出している。
【００２２】
従って、開いた状態の蓋部材２０を閉じると、口栓部材１０に取り付けた開閉操作部材３２の係合凹部３３よりも上端側が、蓋部材２０に形成された係止爪３１に接触することによって、開閉操作部材３２の上端部が外側に押し広げられながら係止爪３１を乗り越えて係合凹部３３が係止爪３１に係合し、これによって蓋部材２０が全閉位置に位置決めされるようになっている（図２参照）。
【００２３】
また、蓋部材２０が全閉位置に位置決めされた状態で、図７に示すように、コイルバネ３５の付勢力に抗して開閉操作部材３２の下部を押し込むと、係止爪３１に対する係合凹部３３の係合が解除されるので、ねじりバネの付勢力によって、蓋部材２０が全開位置まで開くようになっている（図５参照）。
【００２４】
前記ロック機構４０は、図１、図３、図８に示すように、蓋本体２１における蓋側開閉操作領域の右外側に形成された、区画壁２１ａと区画壁２１ｂとによって囲まれたロック操作領域内に、ロック位置とロック解除位置との間で周方向にスライド可能に支持されたロック操作部材４１と、ロック位置にスライドさせたロック操作部材４１の左端部が係合可能な、開閉操作部材３２における上部の右半部に形成された係合部４５とを備えており、蓋部材２０を全閉にした状態、即ち、開閉操作部材３２の係合凹部３３が係止爪３１に係合した状態で、ロック操作部材４１をロック位置にスライドさせると、ロック操作部材４１の左端部が蓋本体２１における蓋側開閉操作領域内の右半部に進入して、開閉操作部材３２の係合部４５に係合することで、開閉操作部材３２の押込操作を阻止するようになっている（図９（ａ）、（ｂ）参照）。
【００２５】
前記ロック操作部材４１は、図１０（ａ）〜（ｅ）に示すように、蓋本体２１の外周面に沿ってそれぞれ湾曲した内側片４２及び外側片４３を有しており、この内側片４２及び外側片４３は、所定間隔を開けて対向した状態で、左端同士が相互に連結されている。
【００２６】
内側片４２及び外側片４３は、それぞれの高さ方向の中間位置で連結端（左端）から略中央部にわたって延びる連結部４４によって、対向面同士が所定幅で連結されており、連結部４４は、その下縁の右端が下方側に突出した凸部４４ａを有している。
【００２７】
前記外側片４３の外表面には、周方向に所定間隔を開けて形成された上下方向に延びる一対の突条４３ａが形成されており、この突条４３ａが、ロック操作部材４１を周方向にスライド操作する際の滑り止めの機能を果たしている。
【００２８】
図９及び図１０に示すように、蓋本体２１のロック操作領域内には、蓋本体２１の周方向の一端側（左端側）に相互に接近離反可能に弾性変形する二股部５２を有する樹脂ばね５１が取り付けられており、この樹脂ばね５１の二股部５２にロック操作部材４１の連結部４４を嵌入することで、ロック操作部材４１が蓋本体２１のロック操作領域内に保持されている。
【００２９】
前記二股部５２の下縁には、先端部及び中間部に上側に張り出す突起５２ａ、５２ｂが形成されており、ロック操作部材４１の連結部４４の凸部４４ａが、突起５２ａ、５２ｂ間の凹部や突起５２ｂと二股部５２の基端部との間の凹部に嵌合するようになっている。
【００３０】
従って、図９（ｂ）及び図１０（ｅ）に示すように、ロック操作部材４１をロック位置にスライドさせたときに、連結部４４の凸部４４ａが二股部５２を変形させながら突起５２ｂを乗り越えて突起５２ａ、５２ｂ間の凹部に嵌合し、これによって、ロック操作部材４１がロック位置（ロック操作部材４１の左端部が開閉操作部材３２の係合部４５に係合する位置）に位置決めされる。
【００３１】
また、図９（ａ）及び図１０（ｄ）に示すように、ロック操作部材４１をロック解除位置にスライドさせたときには、連結部４４の凸部４４ａが二股部５２を変形させながら突起５２ｂを乗り越えて突起５２ｂと二股部５２の基端部との間の凹部に嵌合し、これによって、ロック操作部材４１がロック解除位置（ロック操作部材４１の左端部が開閉操作部材３２の係合部４５から離反する位置）に位置決めされる。
【００３２】
以上のように、この飲料容器の栓体１は、周方向にスライド操作するロック操作部材４１を、容器本体ＣＢに装着される口栓部材１０ではなく、蓋部材２０に取り付けているので、ロック操作部材を口栓部材に取り付けている従来の栓体に比べて、口栓部材１０を構成しているベース部材１１の内径を大きくすることができる。従って、口栓部材１０が装着される容器本体ＣＢの口部の内径を大きくすることができ、氷等を容器本体ＣＢに入れる場合に、入れやすくなるという効果が得られる。
【００３３】
また、この飲料容器の栓体１は、開閉操作部材４１の上部に、蓋部材２０に設けられた係止爪３１に係合する係合凹部３３及びロック操作部材４１が係合する係合部４５が設けられているので、栓体１の構造が単純化されるという利点がある。
【００３４】
また、この栓体１は、蓋本体２１のロック操作領域内に取り付けた樹脂ばね５１の二股部５２にロック操作部材４１の連結部４４を嵌入することで、ロック操作部材４１が蓋本体２１のロック操作領域内に保持しており、しかも、ロック操作部材４１の連結部４４の凸部４４ａが、樹脂ばね５１の二股部５２の下縁に形成された突起５２ａ、５２ｂ間の凹部や突起５２ｂと二股部５２の基端部との間の凹部に嵌合することで、ロック操作部材４１をロック位置及びロック解除位置にそれぞれ位置決めする位置決めするようにしているので、ロック操作部材４１がロック位置やロック解除位置から中間位置に容易に移動することがなく、知らないうちにロックが解除されて飲料が漏れ出すといった不測の事態を防止することができる。
【００３５】
なお、上述した実施形態では、蓋本体２１における蓋側開閉操作領域の右外側にロック操作領域を形成しているが、これに限定されるものではなく、蓋側開閉操作領域の左外側にロック操作領域を形成してもよい。ただし、その場合は、蓋本体２１の蓋側開閉操作領域内の右半部に係止爪を形成すると共に、開閉操作部材３２の上部には、その右半部に係止爪が係合する係合凹部を、左半部にロック操作部材が係合する係合部をそれぞれ形成する必要があることはいうまでもない。
【産業上の利用可能性】
【００３６】
本考案は、携帯用魔法瓶や水筒等の携帯用飲料容器等の飲料容器の栓体として利用することができる。
【符号の説明】
【００３７】
１  栓体
１ａ  ヒンジ
１０  口栓部材
１１  ベース部材
１１ａ  区画壁
１２  口部材
１３  隔壁
１４  注出孔
１５  フランジ部
１６  パッキン
２０  蓋部材
２１  蓋本体
２１ａ、２１ｂ  区画壁
２２  閉塞部
２３  パッキン
３０  開閉機構
３１  係止爪
３２  開閉操作部材
３３  係合凹部
３４  揺動軸
３５  コイルバネ
４０  ロック機構
４１  ロック操作部材
４２  内側片
４３  外側片
４３ａ  突条
４４  連結部
４４ａ  凸部
４５  係合部
５１  樹脂ばね
５２  二股部
５２ａ、５２ｂ  突起
ＣＢ  容器本体
【図１】
0003206294.tif 000003
【図２】
0003206294.tif 000004
【図３】
0003206294.tif 000005
【図４】
0003206294.tif 000006
【図５】
0003206294.tif 000007
【図６】
0003206294.tif 000008
【図７】
0003206294.tif 000009
【図８】
0003206294.tif 000010
【図９】
0003206294.tif 000011
【図１０】
0003206294.tif 000012
【図１１】
0003206294.tif 000013
【図１２】
0003206294.tif 000014
【図１３】
0003206294.tif 000015